(57)【要約】【課題】側壁部に持ち手開口を形成するための折り曲げ片を有する梱包箱に内挿される補強シートの抜き出し作業を容易にする。【解決手段】補強シート２０における折り曲げ片８に対向する箇所には、該折り曲げ片８を逃がすための逃げ開口２６が形成され、逃げ開口２６の下端縁には、箱内方側に突出して、当該補強シート２０が上方に引き出される際に折り曲げ片８の下面に当接する当接板２３が設けられている。【選択図】図６
2018154362.tif 000002
【特許請求の範囲】
【請求項１】
底板部と側板部とを有する梱包箱に上方から内挿され、該側板部に隣接して対向配置される補強シートであって、
上記梱包箱の上記側板部には、水平方向に延びる折曲線と破断可能線とに囲まれて該折曲線を支点に箱内方側に折り曲げることにより持ち手用開口を形成する折り曲げ片が設けられ、
当該補強シートにおける上記折り曲げ片に対向する箇所には、該折り曲げ片を逃がすための逃げ開口が形成され、
上記逃げ開口の下端縁には、箱内方側に突出して、当該補強シートが上方に引き出される際に上記折り曲げ片の下面に当接する当接板が設けられている、補強シート。
【請求項２】
請求項１記載の補強シートにおいて、
上記逃げ開口は、当該補強シートの一部を切り欠いて内側に折り曲げることで形成され、
上記当接板は、上記逃げ開口を形成するために折り曲げられた折り曲げ片からなる、補強シート。
【請求項３】
請求項１又は２記載の補強シートにおいて、
上記当接板における上記逃げ開口の下端縁に直交する方向の長さは、上記折り曲げ片における上記折曲線に直交する方向の長さよりも長い、補強シート。
【発明の詳細な説明】
【技術分野】
【０００１】
本発明は、梱包箱に内挿される補強シートに関する。
【背景技術】
【０００２】
従来より、底板部と側板部とを有する梱包箱に上方から内挿され、該側板に隣接して配置される補強シートは知られている（例えば、特許文献１参照）。この補強シートを採用することで梱包箱の側面部を二重構造にして、梱包箱の高さ方向の強度の向上を図っている。
【０００３】
この梱包箱の側板部には、内側に折り曲げることにより持ち手用開口を形成する折り曲げ片を設ける場合がある（例えば、特許文献２参照）。折り曲げ片は、梱包箱の側板部の一部をコ字状に切り欠いて形成される。
【先行技術文献】
【特許文献】
【０００４】
【特許文献１】特開２０１３−１７７１５０号公報
【特許文献２】特開２００８−００１３９６号公報
【発明の概要】
【発明が解決しようとする課題】
【０００５】
しかしながら、特許文献２に示すように持ち手用開口を形成するための折り曲げ片を有する梱包箱に対して特許文献１に示す補強シートを適用した場合、梱包箱の内方側に折り曲げた折り曲げ片が補強シートと干渉して持ち手用の開口に指を入れることができない場合がある。
【０００６】
そこで、補強シートにおける折り曲げ片に対応する箇所に、折り曲げ片を逃がすための逃げ開口を形成することが考えられる。しかしこの場合、補強シートを梱包箱から上方に抜き出す際に、逃げ開口の下端縁に折り曲げ片が引っ掛かって補強シートを抜き出し難くなるという問題がある。
【０００７】
本発明は、かかる点に鑑みてなされたものであり、その目的とするところは、梱包箱から抜き出し易い補強シートを提供することにある。
【課題を解決するための手段】
【０００８】
本発明に係る補強シートは、底板部と側板部とを有する梱包箱に上方から内挿され、該側板部に隣接して対向配置される。
【０００９】
そして、上記梱包箱の上記側板部には、水平方向に延びる折曲線と破断可能線とに囲まれて該折曲線を支点に箱内方側に折り曲げることにより持ち手用開口を形成する折り曲げ片が設けられ、当該補強シートにおける上記折り曲げ片に対向する箇所には、該折り曲げ片を逃がすための逃げ開口が形成され、上記逃げ開口の下端縁には、箱内方側に突出して、当該補強シートが上方に引き出される際に上記折り曲げ片の下面に当接する当接板が設けられている。
【発明の効果】
【００１０】
本発明によれば、梱包箱から抜き出し易い補強シートが提供される。
【図面の簡単な説明】
【００１１】
【図１】図１は、本実施形態における補強シートが内挿される梱包箱を示す外観斜視図である。
【図２】図２は、梱包箱の側面の折り曲げ片を折り曲げた状態を示す、梱包箱を側方から見た斜視図である。
【図３】図３は、梱包箱に補強シートが挿入された状態を示す、梱包箱を上方から見た斜視図である。
【図４】図４は、補強シートの展開図である。
【図５】図５は、補強シートの当接板が箱内方側に突出するように折り曲げられた状態を示す斜視図である。
【図６】図６は、補強シートを梱包箱から上方に引き出す途中の状態で逃げ孔の周辺を拡大して示す斜視図である。
【図７】図７は、図６の状態よりも補強シートを上方に引き上げた状態を示す斜視図である。
【図８】図８は、図７の状態よりも補強シートを上方に引き上げた状態を示す斜視図である。
【図９】図９は、従来例を示す図６相当図である。
【図１０】図１０は、従来例を示す図７相当図である。
【図１１】図１１は、従来例を示す図８相当図である。
【発明を実施するための形態】
【００１２】
以下、本発明の実施形態を図面に基づいて詳細に説明する。尚、本発明は、以下の実施形態に限定されるものではない。
【００１３】
《実施形態》
図１は、実施形態における補強シート２０が内挿される梱包箱１を示す外観斜視図である。梱包箱１は、所定の形状に打ち抜いた段ボールシートを折り曲げて形成されている。
【００１４】
具体的には、梱包箱１は、長手方向に延びる一対の第一側板２と、長手方向にて対向する一対の第二側板３と、各第一側板２の下端縁及び上端縁にそれぞれ折曲線を介して連設された一対の底板４（図３参照）及び一対の蓋板５と、第二側板３の下端縁及び上端縁に折曲線を介して連設された下フラップ６及び上フラップ７とを有している。そして、梱包箱１は、組立て状態において所定方向に長い直方体状をなしている。
【００１５】
梱包箱１の一対の第一側板２には、内側に折り曲げることで持ち手用開口１１（図２参照）を形成する折り曲げ片８が設けられている。
【００１６】
折り曲げ片８は、第一側板２の中央部に形成されていて、梱包箱１の長手方向に延びる小判型をなしている。折り曲げ片８は折曲線９と破断可能線１０とに囲まれている。折曲線９は、折り曲げ片８の上端縁に沿って水平方向に延びるように形成され、破断可能線１０は、折り曲げ片８の下端縁と、該下端縁から上端縁に至る半円上の左右両側縁とに沿って形成されている。破断可能線１０は、本実施形態では切り込み線とされているが、例えばミシン目やハーフカットライン等で構成されていてもよい。
【００１７】
折り曲げ片８は、梱包箱１の外側から押圧されること破断可能線１０に沿って破断して折曲線９を支点に箱内方側に折り曲げられる（図２参照）。作業者は、折り曲げ片８を折り曲げることで形成される持ち手用開口１１の上端縁に手を掛けることで、梱包箱１の持ち運び作業を容易に行うことができる。
【００１８】
図３に示すように、梱包箱１には一対の補強シート２０が内挿される。補強シート２０は、梱包箱１の高さ方向の強度を補強するための部材であって、段ボール等のシート材で構成されている。
【００１９】
一対の補強シート２０はそれぞれ、挿入方向（上下方向）から見て箱内方側に開放する断面コ字状をなしている。具体的には、補強シート２０は、第一補強シート部２１と第二補強シート部２２とを有している。第一補強シート部２１は、第一側板２よりもやや小さい矩形板状をなしている。そして、第一補強シート部２１は、第一側板２に対して隣接して対向配置されている。第二補強シート部２２は、第一補強シート部２１の長手方向の両端縁に連接されて該第一補強シート部２１に対して垂直に配置されている。第二補強シート部２２は、第二側板３に対して隣接して対向配置されている。一対の補強シート２０は、梱包箱１に内挿された状態で梱包箱１の側板２，３に沿った四角筒を構成する。
【００２０】
これにより梱包箱１の側壁部を二重構造化してその強度を補強している。
【００２１】
図４に示すように、補強シート２０の第一補強シート部２１には、補強シート２０を梱包箱１から上側に引き抜く際に、上記折り曲げ片８に当接する当接板２３が設けられている。当接板２３は、梱包箱１の長手方向に長い矩形板状をなしている。
【００２２】
当接板２３は、折曲線２４と破断可能線２５とに囲まれている。折曲線２４は当接板２３の下端縁に沿って形成されている。破断可能線２５は、当接板２３の左右両端縁及び上端縁に沿って形成されている。
【００２３】
図５に示すように、当接板２３は、第一補強シート部２１の外方側から押圧されて折曲線２４を支点に内方側に折れ曲がることで逃げ開口２６を形成する。逃げ開口２６は、梱包箱１の内方側に折り曲げられた折り曲げ片８を逃がすための開口である。逃げ開口２６は、補強シートの下端が梱包箱１の底壁に当接した状態で折り曲げ片８に対向する箇所に形成されている。当接板２３における逃げ開口２６の下端縁に直交する方向の長さは、折り曲げ片８における折曲線９に直交する方向の長さよりも長い。
【００２４】
図６に示すように、作業者が梱包箱１の折り曲げ片８を箱内方側に折り曲げると、折り曲げ片８の先端縁が補強シート２０の当接板２３に当接する。これにより、当接板２３が折り曲げ片８により箱内方側に押圧されて折曲線２４を支点に折れ曲がる。この状態で、作業者が補強シート２０を梱包箱１の上面開口から上側に引き出そうとすると、図７及び図８に示すように、補強シート２０の当接板２３の上面が梱包箱１の折り曲げ片８の下面に当接して、折り曲げ片８が梱包箱１の第一側板２側に折り畳まれる。したがって、補強シート２０を梱包箱１からスムーズに抜き出すことができる。
【００２５】
すなわち、図９に示すように、従来の補強シート３０は当接板２３を有していないので、図１０及び図１１に示すように補強シート３０を梱包箱１から上側に抜き出す際に、折り曲げ片８が逃げ開口２６の下端縁に引っ掛かって補強シート３０の移動が阻害されるという問題がある。
【００２６】
これに対して本実施形態では、逃げ開口２６の下端縁には、箱内方側に突出して、補強シート２０が上方に引き出される際に折り曲げ片８の下面に当接する当接板２３が設けられているので、従来のように逃げ開口２６の下端縁が折り曲げ片８に引っ掛かることもない。
【００２７】
また、当接板２３は、逃げ開口２６を形成するために折り曲げられた折り曲げ片により構成されているので、例えば当接板２３を補強シート２０とは別体で構成して逃げ開口２６の下端縁に接着固定した場合に比べて、当接板２３を簡単に且つ安価に形成することができる。
【００２８】
また、当接板２３における逃げ開口２６の下端縁に直交する方向の長さは、折り曲げ片８における折曲線９に直交する方向の長さよりも長い（図６参照）。換言すると、当接板２３は折り曲げ片８よりも十分に大きく形成されている。したがって、補強シート２０を梱包箱１から上側に抜き出す際に当接板２３が折り曲げ片８に引っ掛かるのを確実に防止することができる。
【産業上の利用可能性】
【００２９】
以上説明したように、本発明は、梱包箱に内挿される補強シートについて有用である。
【符号の説明】
【００３０】
１     梱包箱
２     第一側板
３     第二側板
４     底板
８     折り曲げ片
９     曲線
１１   持ち手用開口
２０   補強シート
２３   当接板
２４   折曲線
２６   逃げ開口
【図１】
2018154362.tif 000003
【図２】
2018154362.tif 000004
【図３】
2018154362.tif 000005
【図４】
2018154362.tif 000006
【図５】
2018154362.tif 000007
【図６】
2018154362.tif 000008
【図７】
2018154362.tif 000009
【図８】
2018154362.tif 000010
【図９】
2018154362.tif 000011
【図１０】
2018154362.tif 000012
【図１１】
2018154362.tif 000013